(57)【要約】【課題】  第１及び第２ポール保持テープを通じて，または第１及び第２ポール保持テープの後面と本体布地の内面との間に位置する裁縫線を通じて外部から雨水や湿気が流入することを防止できるテントのポール保持テープの防水構造を提供する【解決手段】  とを設けた。  本体布地の隅角部に裁縫線１３１により縫着され，裁縫線１３１の前面は前面防水テープ１１２により防水処理され，両端は第１ポール保持テープ１２１と第２ポール保持テープ１２２に付着される防水コーティング部材１１１と，防水コーティング部材１１１の後面と本体布地１０１の内面との間に配設される複数の裁縫線１３１の外側面に付着される側面防水テープ１１３とを含む。【選択図】    図５
2005220725.tif 000002
【特許請求の範囲】
【請求項１】
ポールが位置される本体布地の隅角部に裁縫線によって複数固着され，ポールの外周面を覆いかぶせた状態で前記本体布地に対してポールを保持させる第１及び第２ポール保持テープを有するテントのポール保持テープにおいて，
前記本体布地の隅角部に前記裁縫線により縫着されて，前記裁縫線の前面は前面防水テープにより防水処理されて，両端は前記第１ポール保持テープと前記第２ポール保持テープに付着される防水コーティング部材と，
前記防水コーティング部材の後面と前記本体布地の内面との間に配設される前記裁縫線の外側面に付着される側面防水テープと，
を含むことを特徴とするテントのポール保持テープの防水構造。
【発明の詳細な説明】
【技術分野】
【０００１】
本発明はテントに関するもので，より詳細には，ポールを本体布地に対して固定させる複数の第１及び第２ポール保持テープや裁縫線を通じてテント内部に雨水や湿気が流入することを遮断できるテントのポール保持テープの防水構造に関するものである。
【背景技術】
【０００２】
一般的に，テントの隅角部にはポールを挿入して，ポールの弾力により本体布地を多方向に引っ張ることによって，テントの形状を維持するようになる。この時，本体布地に対してポールを保持するために，本体布地の隅角部には裁縫線によって第１及び第２ポール保持テープからなったポール保持手段が複数縫着される。
【０００３】
図１〜図３には従来のテントの隅角部に位置される第１及び第２ポール保持テープ１１，１２が示されている。これらの第１及び第２ポール保持テープ１１，１２は本体布地１に対してポール２を部分的に密着して支持することによって，本体布地１の設置状態をより安定的に維持する役割をする。
【０００４】
すなわち，一つのテントを設置するために複数のポール２を連結してテントの骨格を作るようになる。この時，本体布地１に対してポール２を動かないように固定する役割をするのがこれらの第１及び第２ポール保持テープ１１，１２である。したがって，第１及び第２ポール保持テープ１１，１２はテントの骨格を形成するポール２を本体布地１の要素要素に固定させる役割をするので，より丈夫にテントを設置することが可能である。
【０００５】
通常に，使用の便宜性のために第１及び第２ポール保持テープ１１，１２はベルクロファスナー（登録商標）のように接着手段が備わっていて，何度も繰り返して脱着可能なものを使用する。必要によっては，第１ポール保持テープ１１を雌ベルクロファスナーで，第２ポール保持テープ１２を雄ベルクロファスナーとして，またはその逆に構成すればよい。
【発明の開示】
【発明が解決しようとする課題】
【０００６】
しかし，従来の第１及び第２ポール保持テープ１１，１２は，図３に示すように，裁縫線２１によって第１及び第２ポール保持テープ１１，１２が本体布地１に縫着されており，この裁縫線２１の前面には前面防水テープ３が付着している。前面防水テープ３は裁縫線２１を通じて外部から雨水と湿気が流入することを遮断する防水手段としての役割をする。
ところが，前面防水テープ３が付着している部分から外部の雨水や湿気が侵入するのを防ぐことはできるが，図３に矢印で示すように，第１及び第２ポール保持テープを通じて，または第１及び第２ポール保持テープ１１，１２の後面と本体布地１の内面との間の裁縫線２１の両側面を通じてテントの内部に侵入する雨水や湿気などの流入は遮断できない問題がある。
【０００７】
特に，これらの第１及び第２ポール保持テープ１１，１２はコーティング処理ができないため，防水テープの付着も不可能である。したがって，第１及び第２ポール保持テープや裁縫線２１の両側面を通じてテントの内部に流入する雨水と湿気を遮断することができなくなる。
【０００８】
そこで，本発明は，このような問題に鑑みてなされたもので，その目的とするところは，第１及び第２ポール保持テープを通じて，または第１及び第２ポール保持テープの後面と本体布地の内面との間に位置する裁縫線を通じて外部から雨水や湿気が流入することを防止できるテントのポール保持テープの防水構造を提供することにある。
【課題を解決するための手段】
【０００９】
上記課題を解決するために，本発明のテント用環状部材の防水構造は，ポールが位置される本体布地の隅角部に裁縫線によって複数固着され，ポールの外周面を覆いかぶせた状態で前記本体布地に対してポールを保持させる第１及び第２ポール保持テープを有するテントのポール保持テープにおいて，前記本体布地の隅角部に前記裁縫線により縫着されて，前記裁縫線の前面は前面防水テープにより防水処理されて，両端は前記第１ポール保持テープと前記第２ポール保持テープに付着される防水コーティング部材と，前記防水コーティング部材の後面と前記本体布地の内面との間に配設される複数の前記裁縫線の外側面に付着される側面防水テープと，を含むことを特徴とする。
【発明の効果】
【００１０】
本発明によれば，裁縫線により本体布地の隅角部に防水コーティング部材を縫着し，この裁縫線の前面には前面防水テープを付着し，この防水コーティング部材の両端は第１ポール保持テープと第２ポール保持テープに付着すると共に，防水コーティング部材の後面と本体布地の内面との間に配設される複数の裁縫線の外側面には側面防水テープを付着することによって，裁縫線によって本体布地の隅角部に付着され，ポールを本体布地に対して固定させる複数の第１及び第２ポール保持テープの部位を通じて，または第１及び第２ポール保持テープの後面と本体布地の内面との間に位置する裁縫線を通じて外部から雨水や湿気が流入することを遮断でき，より快適で安定したテントを提供することができる。
【発明を実施するための最良の形態】
【００１１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。図４は本発明に係る防水コーティング部材の縫着過程を説明するための斜視図であり，図５は本発明に係るテントの防水コーティング部材による防水作用を説明するための要部断面図である。
【００１２】
本発明ではポール１０２が位置される本体布地１０１の隅角部に裁縫線１３１によって複数固着されて，ポール１０２の外周面を覆いかぶせた状態で本体布地１０１に対してポール１０２を保持させる第１及び第２ポール保持テープ１２１，１２２からなるテントのポール保持テープに対する防水構造を例示する。
【００１３】
本発明に係るテントのポール保持テープの防水構造は，本体布地の隅角部に裁縫線１３１により縫着され，裁縫線１３１の前面は前面防水テープ１１２により防水処理され，両端は第１ポール保持テープ１２１と第２ポール保持テープ１２２に付着される防水コーティング部材１１１と，防水コーティング部材１１１の後面と本体布地１０１の内面との間に配設される複数の裁縫線１３１の外側面に付着される側面防水テープ１１３とを含む。
【００１４】
前述したように，使用の便宜性のために第１及び第２ポール保持テープ１２１，１２２はベルクロファスナー（登録商標）のように接着手段が備わっていて，何度も繰り返して脱着可能なことを使用する。必要にしたがって，第１ポール保持テープ１２１を雌ベルクロファスナーで，第２保持テープ１２２を雄ベルクロファスナーとして，またはその逆に構成すればよい。
【００１５】
ここで，防水コーティング部材１１１は本体布地１０１の隅角部に裁縫線１３１により縫着されるもので，前面には前面防水テープ１１２を付着して裁縫線１３１の前面を防水処理する。防水コーティング部材１１１の両端は裁縫線１３１によって第１ポール保持テープ１２１と第２ポール保持テープ１２２にそれぞれ付着する。
【００１６】
防水コーティング部材１１１の後面と本体布地１０１の内面の間に配設される複数（本実施形態では二つ）の裁縫線１３１の外側面を通じて，外部から雨水や湿気が流入する恐れがある。これを防止するために，防水コーティング部材１１１の後面と本体布地１０１の内面との間の裁縫線１３１の外側面には側面防水テープ１１３を付着する。
【００１７】
次に，このような構成を有する本発明の製造過程及び作用原理を説明する。
【００１８】
まず，図４に示すように，防水コーティング部材１１１の両端には第１ポール保持テープ１２１と第２ポール保持テープ１２２を縫着する。
【００１９】
次に，第１及び第２ポール保持テープ１２１，１２２が付着している防水コーティング部材１１１の中央部分を２個の布地が重ね合っている本体布地１０１の重複部分に接触した後，二つの裁縫線１３１により両者を縫着させる。
【００２０】
このように，防水コーティング部材１１１を本体布地１０１に縫着した後，前面に露出する裁縫線１３１に前面防水テープ１１２を付着して裁縫線１３１の前面を防水処理する。
そして，防水コーティング部材１１１の後面と本体布地１０１の内面との間に配設される裁縫線１３１の両外側には図５に示すように，側面防水テープ１１３を付着する。
【００２１】
したがって，側面防水テープ１１３により第１ポール保持テープ１２１と第２ポール保持テープ１２２後面の裁縫線１３１の外側面部位が防水でき，前面防水テープ１１２により裁縫線１３１の前面が防水できる。また防水コーティング部材の挿入により第１及び第２ポール保持テープの部位からの雨水，湿気を遮断することができるので，完壁な防水構造が得られる。
【００２２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００２３】
本発明は，テント一般に適用可能で，特にポールを本体布地に対して固定させる複数の第１及び第２ポール保持テープや裁縫線を通じてテント内部に雨水や湿気が流入することを遮断できるテントのポール保持テープの防水構造に適用可能である。，，
【図面の簡単な説明】
【００２４】
【図１】従来の本体布地の内側に縫着されているポール保持テープを示す斜視図である。
【図２】従来の本体布地に縫着されているポール保持テープを拡大して示す斜視図である。
【図３】従来の本体布地にポール保持テープが縫着されることによって発生する漏水現象を説明するための要部断面図である。
【図４】本発明に係る防水コーティング部材の縫着過程を説明するための斜視図である。
【図５】本発明に係るテントの防水コーティング部材による防水作用を説明するための要部断面図である。
【符号の説明】
【００２５】
１０１  本体布地，
１０２  ポール，
１１１  防水コーティング部材，
１１２  前面防水テープ，
１１３  側面防水テープ，
１２１  第１ポール保持テープ，
１２２  第２ポール保持テープ，
１３１  裁縫線
【図１】
2005220725.tif 000003
【図２】
2005220725.tif 000004
【図３】
2005220725.tif 000005
【図４】
2005220725.tif 000006
【図５】
2005220725.tif 000007